(57)【要約】【課題】アイカップと視度ケースの係合力を確保しようとすると、アイカップ係合リブと視度ケース係合リブの係合量を大きくする必要があり、それに伴い組み立て時のアイカップ変形量が増大し、組み立て時にアイカップが塑性変形したり、外観に白化等の問題が起きたりするなど十分な係合力を得るのが困難であるとともに、変形させながら組み立てるため組立作業が困難であった。【解決手段】機能的に弾性体であることが必要な部品であるアイカップを視度ケースとアイカップ取付ピースとの間に隙間無く挟み込み固定する構成をとることでアイカップを変形させながら取り付ける困難な作業を解消できると共に十分な取付強度を確保することができるアイカップの取付構成を提供するものである。【選択図】  図１
2004309891.tif 000002
【特許請求の範囲】
【請求項１】
ファインダーの先端にアイカップを装着するアイカップ取付装置であって、前記アイカップの光軸方向の一方面に装着される被装着手段と、前記アイカップの光軸方向の他方面に装着されるアイカップ取付手段と、前記被装着手段と前記アイカップと前記アイカップ取付手段とを互いに固定する締結手段とを有し、前記アイカップの一方面に前記被装着手段を当接させ、前記アイカップの他方面に前記アイカップ取付手段を当接させ、前記締結手段により前記被装着手段と前記アイカップと前記アイカップ取付手段とを互いに固定することを特徴とするアイカップ取付装置。
【請求項２】
ファインダーの先端にアイカップを装着するアイカップ取付装置であって、前記アイカップの光軸方向の一方面に装着される被装着手段と、前記アイカップの光軸方向の他方面に装着されるアイカップ取付手段と、前記被装着手段と前記アイカップと前記アイカップ取付手段とを互いに固定する締結手段と、前記アイカップ取付手段に光軸方向に突出するように設けられた突起と、前記突起に設けられ前記締結手段を締結可能な開口部と、前記アイカップに設けられ前記突起が挿通可能な第１の孔と、前記被装着手段に設けられ前記突起が挿入されるとともに前記締結手段が挿通可能な第２の孔とを備え、本装置の組立時、前記突起を前記第１の孔に挿通し前記第２の孔に挿入し、前記締結手段を前記開口部に締結させることを特徴とするアイカップ取付装置。
【発明の詳細な説明】
【０００１】
【発明の属する技術分野】
本発明は、ビデオカメラやデジタルスチルカメラ等などに電子ビューファインダーを覗く部分に外光を遮断し視認性を向上させるために取付られるアイカップの取付構成に関するものである。
【０００２】
【従来の技術】
近年、ビデオカメラやデジタルスチルカメラなどにおいては、機器が小型になるにつれて電子ビューファインダーを使用しての撮影時に前記電子ビューファインダー部に外光が入り込み視認性が悪化しないようアイカップが形成されているものが多い。このような趣味に多く使用する機器については、特に操作性や、小型化と品格・デザインに対する要求が高く、アイカップについても遮光性能や皮膚に触れたときの感触等の機能性や、小型化、デザイン性等が求められている。
【０００３】
以下に従来のアイカップ取付装置について説明する。
【０００４】
図４は従来の視度ユニットの斜視図、図５、図６、図７は視度ユニットの断面の組み立て模式図であり、図５は組み立て前、図６は組み立て時のアイカップを変形させている状態、図７は組み立て後の状態をそれぞれ示したものである。
【０００５】
図４に示すように、視度調部において視度ケース６にアイカップ５が取り付いている。その組み立て過程を図５、６、７を用いて説明する。
【０００６】
図７において、６ａ、６ｂは視度ケース係合リブであり、５ａ、５ｂのアイカップ係合リブと係合しアイカップ５が視度ケース６から抜け落ちるのを防止している。
【０００７】
本構成ではこの状態にするために図５の状態から図６の組み立て時に移行する際アイカップ５をその弾性を利用し変形させアイカップ係合リブである５ａ、５ｂをそれぞれ矢印５ｃ、５ｄの方向に５ａ１、５ｂ１の位置まで移動させた後その状態を保持したままアイカップ５を視度ケース６に対する最終の組み立て位置まで移動させる。その位置でアイカップを変形させた状態から元の形状に戻すことでアイカップ係合リブ５ａ、５ｂ視度ケース係合リブ６ａ、６ｂをこえる位置に移動しアイカップ５と視度ケース６が組み立てられる。
【０００８】
【特許文献１】
実開平３−２０３２２号公報
【０００９】
【発明が解決しようとする課題】
しかしながら上記従来の構成では、アイカップ５と視度ケース６の係合力を確保しようとすると、前記５ａ、５ｂのアイカップ係合リブと６ａ、６ｂは視度ケース係合リブの係合量を大きくする必要があり、それに伴い組み立て時のアイカップ変形量が増大し、組み立て時にアイカップが塑性変形したり、外観に白化等の問題が起きたりするなど十分な係合力を得るのが困難であるとともに、変形させながら組み立てるため組立作業が困難であった。
【００１０】
本発明は前記課題を解決するもので、十分な係合力を得られるアイカップの取付構成を提供するものである。
【００１１】
【課題を解決するための手段】
この目的を達成するために本発明のアイカップ取付構成は、ファインダーの先端にアイカップを装着するアイカップ取付装置であって、前記アイカップの光軸方向の一方面に装着される被装着手段と、前記アイカップの光軸方向の他方面に装着されるアイカップ取付手段と、前記被装着手段と前記アイカップと前記アイカップ取付手段とを互いに固定する締結手段とを有し、前記アイカップの一方面に前記被装着手段を当接させ、前記アイカップの他方面に前記アイカップ取付手段を当接させ、前記締結手段により前記被装着手段と前記アイカップと前記アイカップ取付手段とを互いに固定するものである。
【００１２】
この構成によって、十分な係合力を得られるアイカップの取付構成を実現する。
【００１３】
【発明の実施の形態】
本発明の請求項１に記載の発明は、ファインダーの先端にアイカップを装着するアイカップ取付装置であって、前記アイカップの光軸方向の一方面に装着される被装着手段と、前記アイカップの光軸方向の他方面に装着されるアイカップ取付手段と、前記被装着手段と前記アイカップと前記アイカップ取付手段とを互いに固定する締結手段とを有し、前記アイカップの一方面に前記被装着手段を当接させ、前記アイカップの他方面に前記アイカップ取付手段を当接させ、前記締結手段により前記被装着手段と前記アイカップと前記アイカップ取付手段とを互いに固定するものであり、弾性体であるアイカップを取り付ける際に十分な係合力を確保し且つ省スペースを実現できる作用がある。
【００１４】
請求項２に記載の発明は、ファインダーの先端にアイカップを装着するアイカップ取付装置であって、前記アイカップの光軸方向の一方面に装着される被装着手段と、前記アイカップの光軸方向の他方面に装着されるアイカップ取付手段と、前記被装着手段と前記アイカップと前記アイカップ取付手段とを互いに固定する締結手段と、前記アイカップ取付手段に光軸方向に突出するように設けられた突起と、前記突起に設けられ前記締結手段を締結可能な開口部と、前記アイカップに設けられ前記突起が挿通可能な第１の孔と、前記被装着手段に設けられ前記突起が挿入されるとともに前記締結手段が挿通可能な第２の孔とを備え、本装置の組立時、前記突起を前記第１の孔に挿通し前記第２の孔に挿入し、前記締結手段を前記開口部に締結させるものであり、これにより、アイカップとアイカップ取付手段と被装着手段との正確な位置決めが可能となる。
【００１５】
以下、本発明の実施の形態について、図面を用いて説明する。
【００１６】
（実施の形態１）
図１は本発明の実施の形態１のアイカップ取付構成を示す分解斜視図、図２は同実施の形態における組立前の分解断面図で、図１のＺ−Ｚ部の断面である。図３は同実施の形態における組立後の分解断面図である。
【００１７】
図において、１はアイカップ２を視度ケース３に固定するアイカップ取付手段であるアイカップ取付ピースであり、略中央には四角形の孔が空いており、視度ケース取り付けボス１ａ、１ｂが光軸方向に突出するように有している。アイカップ取付ピース１は例えば樹脂より構成されている。２は視度ケース３の先端に装着され撮影時に撮影者の目の周囲皮膚に当接するアイカップで。略中央に四角形の孔を有している。孔２ａ及び孔２ｂを有している。アイカップ２は、撮影者の眼球周囲の皮膚に当接した際に、当接感を良好にするためにゴムなどの弾性材料より構成されている。３はビデオカメラにおける電子ビューファインダーの先端に設けられ撮影者の視度調整が可能な被装着手段である視度ケースで、アイカップピース固定部３ａ及び３ｂ（図示せず）を有している。４は視度ケース３とアイカップとアイカップ取付ピース１とを互いに固定するビスである。
【００１８】
なお、本実施の形態では、ビデオカメラの電子ビューファインダーに用いるものとして説明するが、銀塩カメラなどのようにファインダを有するものであれば、どのような機器にも適用できる。
【００１９】
以上のように構成された本実施の形態のアイカップ取付装置について、以下その組立動作について説明する。
【００２０】
まず、図１及び図２に示すように、アイカップ取付ピース１とアイカップ２と視度ケース３とが互いに分離した状態から、視度ケース３を矢印Ａに示すようにアイカップ２の裏面側（撮影者側とは反対側）に移動させ、アイカップピース固定部３ａ及び３ｂを、ベース面２ｃに当接させる。
【００２１】
次に、アイカップ取付ピース１を矢印Ｂに示すようにアイカップの撮影者側の内面に移動させ、固定面１ｃがベース面２ｃに当接させる。以上のように移動させた状態が図３である。この時、アイカップ取付ピース１に設けられた視度ケース取付ボス１ａ及び１ｂは、アイカップ２の孔２ａ及び２ｂを挿通し、取付面３ｃに挿入される。取付面３ｃには、図示していないが、視度ケース取付ボス１ａ及び１ｂが挿入可能な大きさの孔（または穴）が設けられている。このようにすることで、アイカップ取付ピース１とアイカップ２と視度ケース３との、正確な位置決めが可能となる。
【００２２】
次に、図１に示すように、ビス４を、視度ケース３に形成されているアイカップピース固定部、アイカップ２に形成された孔２ａ及び２ｂを貫通させ、アイカップ取付ピース１に形成された視度ケース取り付けボス１ａ及び１ｂに締め付け固定する。この時、視度ケース取付ボス１ａ及び１ｂの内部は、予め雌ねじを形成しておいてもよいが、雌ねじを形成せず筒状の穴にしておき、ネジ４の締結の際に雌ねじを切りながら締結させる構成とすると、取付強度がさらに向上する。
【００２３】
この時、アイカップ２は形成されているベース面２ｃがアイカップ取付ピース１の固定面１ｃと前記視度ケース３の取付面３ｃとの間に隙間無く挟み込まれることにより任意の位置に固定される。
【００２４】
以上のように本実施の形態によれば、アイカップ２を視度ケース３に取り付ける際に、アイカップ取付ピース１を用いてビス４で固定することにより、従来技術のようにアイカップを変形させて固定する際に発生するアイカップの塑性変形や、外観の白化等を防ぐことができる。
【００２５】
また、視度ケース３とアイカップ取付ピース１との間に隙間無く挟み込み固定する構成をとることで、十分な取付強度を確保することができる。
【００２６】
また、アイカップ取付ピース１に設けられた視度ケース取付ボス１ａ及び１ｂにより、アイカップ取付ピース１とアイカップ２と視度ケース３の正確な位置決めが可能となる。
【００２７】
以上が本発明の実施の形態１であるが、本実施の形態１において、アイカップ取付ピースには２箇所の取付ボスが、またアイカップ、視度ケースにはそれに対応した孔と取付部が形成されているが必ずしも２箇所である必要はない、機器に求められる強度などにより任意の数だけ設ければよい、また、本実施例では固定方法としてビスを用いているが他の方法、例えば溶着や、爪形状を用いてもかまわない。
【００２８】
また、アイカップ２のベース面２ｃの弾性を利用してアイカップ２取付時ガタツキを防止するためにアイカップ取付ピース１の固定面１ｃと視度ケース３の取付面３ｃとの間に圧縮された状態で挟み込まれてもかまわない。
【００２９】
また、アイカップ２の材料の硬度や色、材料の種類はデザイン性や機能性に問題が無ければ例えばシリコンゴムやエラストマー等任意のものを使用可能なのは言うまでも無い。
【００３０】
更に本発明は弾性体のアイカップを取り付けるのに有効な取付方法であるがアイカップが剛体でできていても取り付けることができるのは言うまでも無い。
【００３１】
また、特に図示していないが、アイカップ取付ピース１の撮影者側の面は、面一とし品格を向上させている。
【００３２】
【発明の効果】
以上のように本発明は、機能的に弾性体であることが必要な部品であるアイカップを視度ケースとアイカップ取付ピースとの間に隙間無く挟み込み固定する構成をとることでアイカップを変形させながら取り付ける困難な作業を解消できると共に、十分な取付強度を確保することができるアイカップの取付構成を提供するものである。
【図面の簡単な説明】
【図１】本発明実施の形態１の全体組み立て斜視図
【図２】本発明実施の形態１の組み立て前断面模式図
【図３】本発明実施の形態１の組み立て後断面模式図
【図４】従来アイカップ取付構成斜視図
【図５】従来アイカップ取付構成組み立て前断面図（リブ変形前）
【図６】従来アイカップ取付構成組み立て前断面図（リブ変形後）
【図７】従来アイカップ取付構成組み立て後断面図
【符号の説明】
１  アイカップ取付ピース
１ａ  視度ケース取り付けボス
１ｂ  視度ケース取り付けボス
１ｃ  固定面
２  アイカップ
２ａ  孔
２ｂ  孔
２ｃ  ベース面
３  視度ケース
３ａ  アイカップピ−ス固定部
３ｂ  アイカップピ−ス固定部
３ｃ  取付面
４  ビス
【図１】
2004309891.tif 000003
【図２】
2004309891.tif 000004
【図３】
2004309891.tif 000005
【図４】
2004309891.tif 000006
【図５】
2004309891.tif 000007
【図６】
2004309891.tif 000008
【図７】
2004309891.tif 000009